(57)【要約】  【課題】  ニップ部にて加圧部材が定着部材を押圧する際には、加圧部材と定着部材との間の押圧力を軸方向に亘って略均一に設定可能な定着装置を提供する。  【解決手段】  定着ベルトモジュール６１と、加圧ベルト６１４を張架するとともに定着ベルトモジュール６１の定着ロール６１０を押圧可能な加圧ロール６５を有する加圧ベルトモジュール６２とを備え、加圧ベルトモジュール６２は、加圧ロール６５が円筒形状に形成されたアウターロール６５１と、アウターロール６５１の内側に配設され、軸方向中央部の外径が両端部よりも大きいクラウン形状に形成されたインナーロール６５２とで構成されている。  【選択図】  図２
2006243211.tif 000002
【特許請求の範囲】
【請求項１】
記録材に担持されたトナー像を定着する定着装置であって、
回動部材と、
加圧ベルトと、当該加圧ベルトを張架するとともに前記回動部材を押圧可能な加圧ロールと、当該加圧ベルトを張架する張架ロールとを有する加圧ベルトモジュールとを備え、
前記加圧ベルトモジュールは、前記加圧ロールが円筒形状に形成された第１のロールと、当該第１のロールの内側に配設され、軸方向中央部の外径が両端部よりも大きいクラウン形状に形成された第２のロールとで構成されたことを特徴とする定着装置。
【請求項２】
前記加圧ベルトモジュールの前記加圧ロールは、前記第２のロールの軸方向中央部の外径が前記第１のロールの内径と略等しく形成されたことを特徴とする請求項１記載の定着装置。
【請求項３】
前記加圧ベルトモジュールの前記加圧ロールは、前記第２のロールの表面に弾性層が被覆されたことを特徴とする請求項１記載の定着装置。
【請求項４】
前記加圧ベルトモジュールは、前記回動部材に対して接離可能に構成されたことを特徴とする請求項１記載の定着装置。
【請求項５】
前記加圧ベルトモジュールの前記加圧ロールは、前記加圧ベルトモジュールが前記回動部材から離間して設置された場合に、前記第１のロールの内周面と前記第２のロールの外周面とが軸方向中央部にて円周方向の全域に亘って接触するように構成されたことを特徴とする請求項４記載の定着装置。
【請求項６】
前記加圧ベルトモジュールの前記加圧ロールは、前記第１のロールの軸方向における長さの１／１０〜１／５の領域にて前記第１のロールの内周面と前記第２のロールの外周面とが接触することを特徴とする請求項５記載の定着装置。
【請求項７】
前記加圧ベルトモジュールの前記加圧ロールは、前記加圧ベルトモジュールが前記回動部材に圧接して設置された場合に、前記第２のロールの中心軸に関して前記回動部材とは反対側の領域にて、当該第１のロールの内周面と当該第２のロールの外周面とは離間するように構成されたことを特徴とする請求項４記載の定着装置。
【請求項８】
記録材に担持されたトナー像を定着する定着装置であって、
回動部材と、
前記回動部材に対して圧接状態と離隔状態とが切替可能に配置された加圧ロールと、
前記加圧ロールに張架され、前記定着ベルトとの間にニップ部を形成する加圧ベルトとを備え、
前記加圧ロールは、前記加圧ベルトを張架するアウターロールと、当該アウターロールの内側に配設され、当該アウターロールを前記定着ロール側に押圧可能なインナーロールとで構成されたことを特徴とする定着装置。
【請求項９】
前記加圧ロールの前記インナーロールは、軸方向中央部の外径が両端部よりも大きいクラウン形状に形成され、軸方向中央部の外径が前記アウターロールの内径と略等しいことを特徴とする請求項８記載の定着装置。
【請求項１０】
前記加圧ロールの前記インナーロールは、軸方向中央部の外径が両端部よりも大きいクラウン形状に形成された中実ロールと、当該ロールの表面に略均一な厚さで被覆された弾性層とで構成されたことを特徴とする請求項９記載の定着装置。
【請求項１１】
前記加圧ロールの前記インナーロールは、軸方向中央部にて平坦部が形成されたことを特徴とする請求項９記載の定着装置。
【請求項１２】
前記回動部材は、回動可能な定着ロールと、当該定着ロールに張架される定着ベルトと、当該定着ベルトを張架する張架ロールとを有することを特徴とする請求項８記載の定着装置。
【請求項１３】
前記加圧ロールの前記アウターロールは、表面に弾性層が形成されたことを特徴とする請求項８記載の定着装置。
【請求項１４】
定着装置に用いられ、当該定着装置の回動部材に対して押圧可能なロール部材であって、
円筒形状の第１のロールと、
前記第１のロールの内側に配設される第２のロールとを備え、
前記回動部材を押圧する前には、前記第１のロールの内周面と前記第２のロールの外周面とが軸方向中央部にて円周方向の全域に亘って接触し、当該回動部材を押圧する際には、当該第１のロールの内周面と当該第２のロールの外周面とが当該第２のロールの中心軸に関して当該回動部材とは反対側の領域にて離間することを特徴とするロール部材。
【請求項１５】
前記第２のロールは、軸方向中央部の外径が両端部よりも大きいクラウン形状に形成されたことを特徴とする請求項１４記載のロール部材。
【請求項１６】
前記第２のロールは、表面に弾性層が被覆されたことを特徴とする請求項１４記載のロール部材。
【請求項１７】
トナー像を形成するトナー像形成手段と、
前記トナー像形成手段によって形成されたトナー像を記録材上に転写する転写手段と、
前記記録材上に転写されたトナー像を当該記録材に定着する定着手段とを含み、
前記定着手段は、
回動部材と、
加圧ベルトと、当該加圧ベルトを張架するとともに前記回動部材を押圧可能な加圧ロールと、当該加圧ベルトを張架する張架ロールとを有する加圧ベルトモジュールとを備え、
前記加圧ベルトモジュールは、前記加圧ロールが円筒形状に形成された第１のロールと、当該第１のロールの内側に配設され、軸方向中央部の外径が両端部よりも大きいクラウン形状に形成された第２のロールとで構成されたことを特徴とする画像形成装置。
【請求項１８】
前記加圧ベルトモジュールは、前記回動部材に対して接離可能に構成され、
前記加圧ベルトモジュールの前記加圧ロールは、前記加圧ベルトモジュールが前記回動部材から離間して設置された場合に、前記第１のロールの内周面と前記第２のロールの外周面とが軸方向中央部にて円周方向の全域に亘って接触するように構成されたことを特徴とする請求項１７記載の画像形成装置。
【発明の詳細な説明】
【技術分野】
【０００１】
本発明は、例えば電子写真方式を利用した画像形成装置に用いられる定着装置等に関する。
【背景技術】
【０００２】
電子写真方式を用いた複写機、プリンタ等の画像形成装置では、例えばドラム状に形成された感光体（感光体ドラム）を一様に帯電し、この感光体ドラムを画像情報に基づいて制御された光で走査露光して感光体ドラム上に静電潜像を形成する。そして、この静電潜像をトナーによって可視像（トナー像）とし、このトナー像を感光体ドラム上から記録紙に直接転写した後に、或いは、このトナー像を一旦中間転写体に一次転写し、中間転写体から記録紙に二次転写した後に、定着装置によってこのトナー像を記録紙に定着している。
【０００３】
かかる画像形成装置に用いられる定着装置は、例えば、円筒状の芯金の内部に加熱源が配設され、その芯金に耐熱性弾性層と離型層とが積層されて形成された定着ロールと、この定着ロールに対して圧接配置され、芯金に耐熱性弾性層と耐熱性樹脂被膜あるいは耐熱性ゴム被膜による離型層とが積層されて形成された加圧ロールとで構成されている。そして、定着ロールと加圧ロールとの間に、未定着トナー像を担持した記録紙を通過させ、未定着トナー像に対して加熱と加圧とを行うことによって、記録紙にトナー像を定着している。このような定着装置は、ロールニップ方式と呼ばれて、一般に広く利用されている。
【０００４】
ところで、ロールニップ方式の定着装置において高速化を図ろうとする場合には、トナーと記録紙に充分な熱量を供給するために、ニップ幅を定着速度に比例して広くすることが必要となる。ニップ幅を広くする方法としては、定着ロールと加圧ロールとの間の荷重を大きくする方法や、弾性体の厚さを厚くする方法、さらにはロール径を大きくする方法がある。
しかし、荷重を大きくする方法や、弾性体の厚さを厚くする方法では、ロールの撓みに起因するニップ幅の形状がロール軸に沿って不均一になることから、定着むらや紙しわが発生する等といった画像品質上の問題が生じる。また、ロール径を大きくする方法では、装置の大型化を招くとともに、ロールを室温から定着可能温度に上昇させるまでの時間（ウォームアップタイム）が長くなるという問題がある。
【０００５】
そこで、これらの問題を解消して、画像形成装置の高速化に対応した定着装置を実現するべく、本出願人は、表面に弾性体が被覆された定着ロールと、複数の支持ロールによって張架されたエンドレスベルトとを設け、エンドレスベルトと定着ロールとの間にニップ領域を形成するようにエンドレスベルトを定着ロールの周りに所定角度領域だけ巻き付けるように構成するとともに、ニップ領域の出口部（最下流部）においてニップ領域の他の部分よりも大きな圧力を局部的に加える加圧ロールを配設した定着装置に関する技術を提案している（例えば、特許文献１参照）。
【０００６】
かかる特許文献１に記載された定着装置では、複数個のロールで張架されたエンドレスベルトを定着ロールに接触させることで、ニップ部（これを「ベルトニップ部」ともいう。）を形成している。このような構成（これを「ベルトニップ方式」ともいう。）を採用することにより、定着ロールとエンドレスベルトとによって形成されるベルトニップ部の幅が従来の定着ロールと加圧ロールとのロールニップ部の幅よりも容易に大きくすることができるので、高速化対応が可能となり、しかも装置の小型化を図ることも容易である。
特に、ベルトニップ方式の定着装置では、定着ロールに圧接させるエンドレスベルトの熱容量が小さいために、定着ロールから伝達される熱も発散され難い。そのため、定着ロールの回転が開始されても、定着ロールからエンドレスベルト側に奪われる熱量は比較的少なく、熱をトナーの溶融に利用する効率が高まることから、トナーの定着性の向上を図ることができるという利点も有している。
【０００７】
【特許文献１】特許第３０８４６９２号公報(第５-８頁)
【発明の開示】
【発明が解決しようとする課題】
【０００８】
ところで、上記した特許文献１に記載されたようなベルトニップ方式の定着装置では、定着ロールとエンドレスベルトとによって形成されるニップ部の最下流部において、エンドレスベルトを張架するロールの１つが定着ロール（定着部材）を圧接するように構成されている。それにより、かかるロールを加圧ロール（加圧部材）として機能させ、ニップ部の他の部分よりも大きな圧力を局部的に加えるように設定している。このような構成を採用することで、ニップ部において加熱され溶融した状態のトナー像には、加圧ロールにより局所的な押圧力が付与されることとなる。そのため、ニップ部を通過したトナー像の定着性の向上が図られ、特に、固化する前のトナー像の表面を平滑化して、トナー像に適度な光沢を与えている。
【０００９】
しかしながら、ニップ部の最下流部において定着ロールを圧接する加圧ロールは、その軸方向に亘る側周面においてエンドレスベルトを張架している。そのため、かかる加圧ロールを定着ロール側に向けて押圧するように設定するには、加圧ロールの両端部から定着ロールを押圧するような構成を採用する必要がある。ところが、このように加圧ロールがその両端部から定着ロールを押圧する構成では、加圧ロール（場合によっては定着ロールにおいても）には弓形状の撓みが生じるために、加圧ロールの軸方向中央部ほど定着ロールとの間の押圧力が低下して、軸方向における押圧力の不均一が生じ易いという構造上の問題があった。
そのために、記録紙の中央部にかけて定着性が悪化する傾向が生じて、画像品質が低下するという不都合が生じていた。また、特に記録紙の中央部ほどトナー像の光沢度が低下する所謂光沢ムラが発生することから、写真画像等のベタ画像において画像品質の低下が目立つという不都合もあった。
【００１０】
そこで本発明は、以上のような技術的課題を解決するためになされたものであり、その目的とするところは、ニップ部にて加圧部材が定着部材を押圧する際には、加圧部材と定着部材との間の押圧力を軸方向に亘って略均一に設定可能な定着装置を提供することにある。
【課題を解決するための手段】
【００１１】
かかる目的のもと、本発明の定着装置は、記録材に担持されたトナー像を定着する定着装置であって、回動部材と、加圧ベルトと、加圧ベルトを張架するとともに回動部材を押圧可能な加圧ロールと、加圧ベルトを張架する張架ロールとを有する加圧ベルトモジュールとを備え、加圧ベルトモジュールは、加圧ロールが円筒形状に形成された第１のロールと、第１のロールの内側に配設され、軸方向中央部の外径が両端部よりも大きいクラウン形状に形成された第２のロールとで構成されたことを特徴としている。
【００１２】
ここで、加圧ベルトモジュールの加圧ロールは、第２のロールの軸方向中央部の外径が第１のロールの内径と略等しく形成されたことを特徴とすることができる。また、加圧ベルトモジュールの加圧ロールは、第２のロールの表面に弾性層が被覆された構成とすることもできる。
さらに、加圧ベルトモジュールは、回動部材に対して接離可能に構成されたことを特徴とすることができる。そして、加圧ベルトモジュールの加圧ロールは、加圧ベルトモジュールが回動部材から離間して設置された場合に、第１のロールの内周面と第２のロールの外周面とが軸方向中央部にて円周方向の全域に亘って接触するように構成されたことを特徴とすることができる。特に、加圧ベルトモジュールの加圧ロールは、第１のロールの軸方向における長さの１／１０〜１／５の領域にて第１のロールの内周面と第２のロールの外周面とが接触することを特徴とすることもできる。また、加圧ベルトモジュールの加圧ロールは、加圧ベルトモジュールが回動部材に圧接して設置された場合に、第２のロールの中心軸に関して回動部材とは反対側の領域にて、第１のロールの内周面と第２のロールの外周面とは離間するように構成されたことを特徴とすることもできる。
【００１３】
また、本発明の定着装置は、記録材に担持されたトナー像を定着する定着装置であって、回動部材と、回動部材に対して圧接状態と離隔状態とが切替可能に配置された加圧ロールと、加圧ロールに張架され、定着ベルトとの間にニップ部を形成する加圧ベルトとを備え、加圧ロールは、加圧ベルトを張架するアウターロールと、アウターロールの内側に配設され、アウターロールを定着ロール側に押圧可能なインナーロールとで構成されたことを特徴としている。
【００１４】
ここで、加圧ロールのインナーロールは、軸方向中央部の外径が両端部よりも大きいクラウン形状に形成され、軸方向中央部の外径がアウターロールの内径と略等しいことを特徴とすることができる。特に、加圧ロールのインナーロールは、軸方向中央部の外径が両端部よりも大きいクラウン形状に形成された中実ロールと、ロールの表面に略均一な厚さで被覆された弾性層とで構成されたことを特徴とすることもできる。また、加圧ロールのインナーロールは、軸方向中央部にて平坦部が形成されたことを特徴とすることもできる。
さらに、回動部材は、回動可能な定着ロールと、定着ロールに張架される定着ベルトと、定着ベルトを張架する張架ロールとを有することを特徴とすることもできる。また、加圧ロールのアウターロールは、表面に弾性層が形成されたことを特徴とすることもできる。
【００１５】
また、本発明をロール部材として捉え、本発明のロール部材は、定着装置に用いられ、定着装置の回動部材に対して押圧可能なロール部材であって、円筒形状の第１のロールと、第１のロールの内側に配設される第２のロールとを備え、回動部材を押圧する前には、第１のロールの内周面と第２のロールの外周面とが軸方向中央部にて円周方向の全域に亘って接触し、回動部材を押圧する際には、第１のロールの内周面と第２のロールの外周面とが第２のロールの中心軸に関して回動部材とは反対側の領域にて離間することを特徴としている。
ここで、第２のロールは、軸方向中央部の外径が両端部よりも大きいクラウン形状に形成されたことを特徴とすることができる。また、第２のロールは、表面に弾性層が被覆された構成とすることもできる。
【００１６】
また、本発明を画像形成装置として捉え、本発明の画像形成装置は、トナー像を形成するトナー像形成手段と、トナー像形成手段によって形成されたトナー像を記録材上に転写する転写手段と、記録材上に転写されたトナー像を記録材に定着する定着手段とを含み、定着手段は、回動部材と、加圧ベルトと、加圧ベルトを張架するとともに回動部材を押圧可能な加圧ロールと、加圧ベルトを張架する張架ロールとを有する加圧ベルトモジュールとを備え、加圧ベルトモジュールは、加圧ロールが円筒形状に形成された第１のロールと、第１のロールの内側に配設され、軸方向中央部の外径が両端部よりも大きいクラウン形状に形成された第２のロールとで構成されたことを特徴としている。
ここで、加圧ベルトモジュールは、回動部材に対して接離可能に構成され、加圧ベルトモジュールの加圧ロールは、加圧ベルトモジュールが回動部材から離間して設置された場合に、第１のロールの内周面と第２のロールの外周面とが軸方向中央部にて円周方向の全域に亘って接触するように構成されたことを特徴とすることができる。
【発明の効果】
【００１７】
本発明の効果として、加圧部材が軸方向に亘って略均一な押圧力で定着部材を押圧可能となるので、定着性が高く、かつ均一な光沢を有する高品質な定着画像を形成することが可能となった。
【発明を実施するための最良の形態】
【００１８】
以下、添付図面を参照して、本発明の実施の形態について詳細に説明する。
[実施の形態１]
図１は本実施の形態が適用される画像形成装置を示した概略構成図である。図１に示す画像形成装置は、一般にタンデム型と呼ばれる中間転写方式の画像形成装置であって、電子写真方式により各色成分のトナー像が形成される複数の画像形成ユニット１Ｙ,１Ｍ,１Ｃ,１Ｋ、各画像形成ユニット１Ｙ,１Ｍ,１Ｃ,１Ｋにより形成された各色成分トナー像を中間転写ベルト１５に順次転写（一次転写）させる一次転写部１０、中間転写ベルト１５上に転写された重畳トナー画像を記録材（記録紙）である用紙Ｐに一括転写（二次転写）させる二次転写部２０、二次転写された画像を用紙Ｐ上に定着させる定着装置６０を備えている。また、各装置（各部）の動作を制御する制御部４０を有している。
【００１９】
本実施の形態において、各画像形成ユニット１Ｙ,１Ｍ,１Ｃ,１Ｋは、矢印Ａ方向に回転する感光体ドラム１１の周囲に、これらの感光体ドラム１１を帯電する帯電器１２、感光体ドラム１１上に静電潜像を書込むレーザ露光器１３（図中露光ビームを符号Ｂｍで示す）、各色成分トナーが収容されて感光体ドラム１１上の静電潜像をトナーにより可視像化する現像器１４、感光体ドラム１１上に形成された各色成分トナー像を一次転写部１０にて中間転写ベルト１５に転写する一次転写ロール１６、感光体ドラム１１上の残留トナーが除去されるドラムクリーナ１７、などの電子写真用デバイスが順次配設されている。これらの画像形成ユニット１Ｙ,１Ｍ,１Ｃ,１Ｋは、中間転写ベルト１５の上流側から、イエロー（Ｙ）、マゼンタ（Ｍ）、シアン（Ｃ）、黒（Ｋ）の順に、略直線状に配置されている。
【００２０】
中間転写体である中間転写ベルト１５は、ポリイミドあるいはポリアミド等の樹脂にカーボンブラック等の帯電防止剤を適当量含有させたフィルム状の無端ベルトで構成されている。そして、その体積抵抗率は１０6〜１０14Ωｃｍとなるように形成されており、その厚みは例えば０．１ｍｍ程度に構成されている。中間転写ベルト１５は、各種ロールによって図１に示すＢ方向に所定の速度で循環駆動（回動）されている。この各種ロールとして、定速性に優れたモータ（図示せず）により駆動されて中間転写ベルト１５を回動させる駆動ロール３１、各感光体ドラム１１の配列方向に沿って略直線状に延びる中間転写ベルト１５を支持する支持ロール３２、中間転写ベルト１５に対して一定の張力を与えると共に中間転写ベルト１５の蛇行を防止する補正ロールとして機能するテンションロール３３、二次転写部２０に設けられるバックアップロール２５、中間転写ベルト１５上の残留トナーを掻き取るクリーニング部に設けられるクリーニングバックアップロール３４を有している。
【００２１】
一次転写部１０は、中間転写ベルト１５を挟んで感光体ドラム１１に対向して配置される一次転写ロール１６で構成されている。一次転写ロール１６は、シャフトと、シャフトの周囲に固着された弾性体層としてのスポンジ層とで構成されている。シャフトは鉄、ＳＵＳ等の金属で構成された円柱棒である。スポンジ層はカーボンブラック等の導電剤を配合したＮＢＲとＳＢＲとＥＰＤＭとのブレンドゴムで形成され、体積抵抗率が１０７〜１０９Ωｃｍのスポンジ状の円筒ロールである。そして、一次転写ロール１６は中間転写ベルト１５を挟んで感光体ドラム１１に圧接配置され、さらに一次転写ロール１６にはトナーの帯電極性（マイナス極性とする。以下同様。）と逆極性の電圧（一次転写バイアス）が印加されるようになっている。これにより、各々の感光体ドラム１１上のトナー像が中間転写ベルト１５に順次、静電吸引され、中間転写ベルト１５上において重畳されたトナー像が形成されるようになっている。
【００２２】
二次転写部２０は、中間転写ベルト１５のトナー像担持面側に配置される二次転写ロール２２と、バックアップロール２５とによって構成される。バックアップロール２５は、表面がカーボンを分散したＥＰＤＭとＮＢＲとのブレンドゴムのチューブ、内部がＥＰＤＭゴムで構成されている。そして、その表面抵抗率が１０７〜１０１０Ω／□となるように形成され、硬度は例えば７０°（アスカーＣ）に設定される。このバックアップロール２５は、中間転写ベルト１５の裏面側に配置されて二次転写ロール２２の対向電極をなし、二次転写バイアスが安定的に印加される金属製の給電ロール２６が当接配置されている。
【００２３】
一方、二次転写ロール２２は、シャフトと、シャフトの周囲に固着された弾性体層としてのスポンジ層とで構成されている。シャフトは鉄、ＳＵＳ等の金属で構成された円柱棒である。スポンジ層はカーボンブラック等の導電剤を配合したＮＢＲとＳＢＲとＥＰＤＭとのブレンドゴムで形成され、体積抵抗率が１０７〜１０９Ωｃｍのスポンジ状の円筒ロールである。そして、二次転写ロール２２は中間転写ベルト１５を挟んでバックアップロール２５に圧接配置され、さらに二次転写ロール２２は接地されてバックアップロール２５との間に二次転写バイアスが形成され、二次転写部２０に搬送される用紙Ｐ上にトナー像を二次転写する。
【００２４】
また、中間転写ベルト１５の二次転写部２０の下流側には、二次転写後の中間転写ベルト１５上の残留トナーや紙粉を除去し、中間転写ベルト１５の表面をクリーニングする中間転写ベルトクリーナ３５が接離自在に設けられている。一方、イエローの画像形成ユニット１Ｙの上流側には、各画像形成ユニット１Ｙ,１Ｍ,１Ｃ,１Ｋにおける画像形成タイミングをとるための基準となる基準信号を発生する基準センサ（ホームポジションセンサ）４２が配設されている。また、黒の画像形成ユニット１Ｋの下流側には、画質調整を行うための画像濃度センサ４３が配設されている。この基準センサ４２は、中間転写ベルト１５の裏側に設けられた所定のマークを認識して基準信号を発生しており、この基準信号の認識に基づく制御部４０からの指示により、各画像形成ユニット１Ｙ,１Ｍ,１Ｃ,１Ｋは画像形成を開始するように構成されている。
【００２５】
さらに、本実施の形態の画像形成装置では、用紙搬送系として、用紙Ｐを収容する用紙トレイ５０、この用紙トレイ５０に集積された用紙Ｐを所定のタイミングで取り出して搬送するピックアップロール５１、ピックアップロール５１により繰り出された用紙Ｐを搬送する搬送ロール５２、搬送ロール５２により搬送された用紙Ｐを二次転写部２０へと送り込む搬送シュート５３、二次転写ロール２２により二次転写された後に搬送される用紙Ｐを定着装置６０へと搬送する搬送ベルト５５、用紙Ｐを定着装置６０に導く定着入口ガイド５６を備えている。
【００２６】
次に、本実施の形態に係る画像形成装置の基本的な作像プロセスについて説明する。図１に示すような画像形成装置では、図示しない画像読取装置（ＩＩＴ）や図示しないパーソナルコンピュータ（ＰＣ）等から出力される画像データは、図示しない画像処理装置（ＩＰＳ）により所定の画像処理が施された後、画像形成ユニット１Ｙ,１Ｍ,１Ｃ,１Ｋによって作像作業が実行される。ＩＰＳでは、入力された反射率データに対して、シェーディング補正、位置ズレ補正、明度／色空間変換、ガンマ補正、枠消しや色編集、移動編集等の各種画像編集等の所定の画像処理が施される。画像処理が施された画像データは、Ｙ、Ｍ、Ｃ、Ｋの４色の色材階調データに変換され、レーザ露光器１３に出力される。
【００２７】
レーザ露光器１３では、入力された色材階調データに応じて、例えば半導体レーザから出射された露光ビームＢｍを画像形成ユニット１Ｙ,１Ｍ,１Ｃ,１Ｋの各々の感光体ドラム１１に照射している。画像形成ユニット１Ｙ,１Ｍ,１Ｃ,１Ｋの各感光体ドラム１１では、帯電器１２によって表面が帯電された後、このレーザ露光器１３によって表面が走査露光され、静電潜像が形成される。形成された静電潜像は、各々の画像形成ユニット１Ｙ,１Ｍ,１Ｃ,１Ｋによって、Ｙ、Ｍ、Ｃ、Ｋの各色のトナー像として現像される。
【００２８】
画像形成ユニット１Ｙ,１Ｍ,１Ｃ,１Ｋの感光体ドラム１１上に形成されたトナー像は、各感光体ドラム１１と中間転写ベルト１５とが当接する一次転写部１０において、中間転写ベルト１５上に転写される。より具体的には、一次転写部１０において、一次転写ロール１６により中間転写ベルト１５の基材に対しトナーの帯電極性（マイナス極性）と逆極性の電圧（一次転写バイアス）が付加され、トナー像を中間転写ベルト１５の表面に順次重ね合わせて一次転写が行われる。
【００２９】
トナー像が中間転写ベルト１５の表面に順次一次転写された後、中間転写ベルト１５は移動してトナー像が二次転写部２０に搬送される。トナー像が二次転写部２０に搬送されると、用紙搬送系では、トナー像が二次転写部２０に搬送されるタイミングに合わせてピックアップロール５１が回転し、用紙トレイ５０から所定サイズの用紙Ｐが供給される。ピックアップロール５１により供給された用紙Ｐは、搬送ロール５２により搬送され、搬送シュート５３を経て二次転写部２０に到達する。この二次転写部２０に到達する前に、用紙Ｐは一旦停止され、トナー像が担持された中間転写ベルト１５の移動タイミングに合わせてレジストロール（図示せず）が回転することで、用紙Ｐの位置とトナー像の位置との位置合わせがなされる。
【００３０】
二次転写部２０では、中間転写ベルト１５を介して、二次転写ロール２２がバックアップロール２５に押圧される。このとき、タイミングを合わせて搬送された用紙Ｐは、中間転写ベルト１５と二次転写ロール２２との間に挟み込まれる。その際に、給電ロール２６からトナーの帯電極性（マイナス極性）と同極性の電圧（二次転写バイアス）が印加されると、二次転写ロール２２とバックアップロール２５との間に転写電界が形成される。そして、中間転写ベルト１５上に担持された未定着トナー像は、二次転写ロール２２とバックアップロール２５とによって押圧される二次転写部２０において、用紙Ｐ上に一括して静電転写される。
【００３１】
その後、トナー像が静電転写された用紙Ｐは、二次転写ロール２２によって中間転写ベルト１５から剥離された状態でそのまま搬送され、二次転写ロール２２の用紙搬送方向下流側に設けられた搬送ベルト５５へと搬送される。搬送ベルト５５では、定着装置６０における最適な搬送速度に合わせて、用紙Ｐを定着装置６０まで搬送する。定着装置６０に搬送された用紙Ｐ上の未定着トナー像は、定着装置６０によって熱および圧力で定着処理を受けることで用紙Ｐ上に定着される。そして定着画像が形成された用紙Ｐは、画像形成装置の排出部に設けられた排紙載置部に搬送される。
一方、用紙Ｐへの転写が終了した後、中間転写ベルト１５上に残った残留トナーは、中間転写ベルト１５の回動に伴ってクリーニング部まで搬送され、クリーニングバックアップロール３４および中間転写ベルトクリーナ３５によって中間転写ベルト１５上から除去される。
【００３２】
次に、本実施の形態の画像形成装置に用いられる定着装置６０について説明する。
図２は本実施の形態の定着装置６０の構成を示す側断面図である。この定着装置６０は、加熱部材の一例としての定着ベルトモジュール６１と、定着ベルトモジュール６１に対して接離可能に構成された圧接部材の一例としての加圧ベルトモジュール６２とで主要部が構成されている。
定着ベルトモジュール６１は、矢印Ａ方向に回転する定着ロール６１０、内部に加熱部材としてのハロゲンヒータ６１６ａが配設された張架ロール６１５、同様に内部に加熱部材としてのハロゲンヒータ６１６ｂが配設された張架ロール６１８、定着ロール６１０と張架ロール６１５との間で定着ベルト６１４を支持する支持ロール６１９、定着ロール６１０と張架ロール６１５と張架ロール６１８、さらには支持ロール６１９とに張架されて矢印Ｄ方向に移動する定着ベルト６１４によって構成されている。
【００３３】
定着ロール６１０は、厚さ５ｍｍのアルミニウムで形成された芯金６１１の表面に、厚さ１．５ｍｍの弾性体層６１２が被覆されて形成された、外径６５ｍｍφ、長さ４２０ｍｍのソフトロールである。弾性体層６１２には、ゴム硬度が２５〜４５°（ＪＩＳ−Ａ）のＬＳＲ（Liquid Silicone Rubber）が用いられている。そして、定着ロール６１０は、４００ｍｍ／ｓの表面速度で矢印Ａ方向に回転する。
また、定着ロール６１０の内部には加熱源として定格１０００Ｗのハロゲンヒータ６１３が配設され、定着ロール６１０の表面に接触するように配置された温度センサ６１７ａの計測値に基づき、画像形成装置の制御部４０（図１参照）が定着ロール６１０の表面温度を１６０℃に制御している。
なお、弾性体層６１２の材質としては、シリコーンゴムに限定されず、例えばフッ素ゴムのような従来公知の各種材質を用いることができ、また、シリコーンゴムとフッ素ゴムからなる複数層が積層された弾性体層６１２を用いてもよい。さらに、定着ロール６１０としては、弾性体層６１２のない、所謂ハードロールを用いることができ、この場合には、定着ロール６１０から定着ベルト６１４への熱供給がさらに効率化される。
【００３４】
定着ベルト６１４は、定着ロール６１０、張架ロール６１５および張架ロール６１８、さらには支持ロール６１９により張力１０ｋｇｆで張架されている。定着ベルト６１４は周長３３０ｍｍ、幅４００ｍｍのフレキシブルなエンドレスベルトで形成されている。
定着ベルト６１４は、厚さ７５μｍのポリイミド樹脂で形成されたベース層と、ベース層の表面側（外周面側）に積層された厚さ２００μｍのシリコーンゴムからなる弾性体層と、さらに弾性体層の上に、離型層として厚さ３０μｍのテトラフルオロエチレン−ペルフルオロアルキルビニルエーテル共重合体樹脂（ＰＦＡ）で形成された表面層とからなる多層構造で構成されている。ここでは、弾性体層は、特にカラー画像に対する画質向上のために設けられたものであり、本実施の形態ではゴム硬度が２０°（ＪＩＳ−Ａ）のシリコーンゴムを使用している。なお、定着ベルト６１４の構成は、使用目的や使用条件等の装置設計条件に応じて、材質・厚さ・硬度等を適宜選択することができる。
【００３５】
張架ロール６１５は、外径２３ｍｍφ、肉厚２ｍｍ、長さ４２０ｍｍのステンレスパイプロールで形成されている。張架ロール６１５の内部には加熱源として定格８００Ｗのハロゲンヒータ６１６が配設されており、温度センサ６１７ｂと制御部４０（図１参照）とによって、張架ロール６１５の表面温度は２００℃に制御されている。したがって、張架ロール６１５は、定着ベルト６１４を張架する機能とともに、定着ベルト６１４を加熱する機能をも併せ持っている。
また、張架ロール６１５は、定着ベルト６１４の軸方向の変位をできる限り小さくするため、および、定着ベルト６１４に作用する張力を幅方向に亘って均一にするため、外径が端部よりも中央部のほうを１００μｍだけ大きくした所謂クラウン形状で形成している。
さらに、張架ロール６１５の近傍には、定着ベルト６１４のエッジ位置を検知するベルトエッジ位置検知機構（不図示）が配置されている。そして、張架ロール６１５は、ベルトエッジ位置検知機構の検知結果に応じて定着ベルト６１４の軸方向における当接位置を変位させる軸変位機構が配設され、定着ベルト６１４の蛇行（ベルトウォーク）を制御するように構成されている。
【００３６】
張架ロール６１８は、外径２３ｍｍ、肉厚２ｍｍ、長さ４２０ｍｍのステンレスパイプロールを基体として、その表面に厚さ２０μｍのＰＦＡが被覆されて離型層が形成されている。この離型層は、定着ベルト６１４の外周面からの僅かなオフセットトナーや紙粉が張架ロール６１８に堆積するのを防止するために形成されるものである。また、張架ロール６１８は、定着ベルト６１４の軸方向の変位をできる限り小さくするため、および、定着ベルト６１４の張架を均一にするため、外径が端部よりも中央部の方を１００μｍだけ大きくした所謂クラウン形状で形成している。なお、張架ロール６１５と張架ロール６１８の双方をクラウン形状で形成する場合のみならず、張架ロール６１５または張架ロール６１８のいずれか一方のみをクラウン形状で形成してもよい。
【００３７】
張架ロール６１８の内部には、加熱源としての定格８００Ｗのハロゲンヒータ６１６ｂが配設されており、温度センサ６１７ｃと制御部４０（図１参照）とによって表面温度が２００℃に制御されている。したがって、張架ロール６１８は、定着ベルト６１４を張架する機能とともに、定着ベルト６１４を外表面から加熱する機能をも併せ持っている。したがって、張架ロール６１５の内部にも加熱源としてのハロゲンヒータ６１６が配設されているので、本実施の形態では、張架ロール６１５と張架ロール６１８との双方によって定着ベルト６１４を補助加熱する構成となっている。
なお、張架ロール６１８は、定着ベルト６１４全体に１０ｋｇｆの張力を付与するテンションロールとしての機能をも有している。
【００３８】
さらに、張架ロール６１８には、張架ロール６１８の表面に当接して、定着ベルト６１４の外周面から張架ロール６１８の表面に付着したオフセットトナーや紙粉を拭き取るためのクリーニングウェブ機構７０が配設されている。
【００３９】
続いて、加圧ベルトモジュール６２について述べる。加圧ベルトモジュール６２は、リードロール６２１、加圧ロール６５および張架ロール６２３の３本のロールにより張架された加圧ベルト６２０、加圧ベルト６２０の内側において、加圧ベルト６２０を介して定着ロール６１０に付勢される状態で配置される圧力パッド（押圧部材）６３により主要部が構成されている。そして、加圧ベルトモジュール６２は定着ベルトモジュール６１に押圧されるように設置された際に、加圧ベルト６２０は、定着ベルトモジュール６１の定着ロール６１０が矢印Ａ方向へ回転するのに伴い、定着ロール６１０に従動して矢印Ｂ方向に回動する。その進行速度は、定着ロール６１０の表面速度と同じ４００ｍｍ／ｓである。
【００４０】
加圧ベルトモジュール６２が定着ベルトモジュール６１に押圧されるように設置された場合には、加圧ベルトモジュール６２と定着ベルトモジュール６１との接触部には、定着ベルト６１４が定着ロール６１０に巻き付けられた（ラッピングされた）領域（以下、このような領域を「ラップ領域」という。）内において、加圧ベルト６２０が定着ベルト６１４の外周面に圧接するように形成されたニップ部Ｎが構成されている。このニップ部Ｎには、加圧ベルト６２０の内側に圧力パッド６３が加圧ベルト６２０を介して定着ロール６１０側に向けて付勢された状態で配置され、加圧ベルト６２０を定着ロール６１０のラップ領域に押圧している。また、ニップ部Ｎの最下流部には、加圧ロール６５が配設されている。そして、加圧ロール６５は、加圧ベルト６２０および定着ベルト６１４を介して定着ロール６１０の中心軸に向けて付勢されており、定着ロール６１０および定着ベルト６１４の当接部に局所的な高圧を生じさせている。
【００４１】
そして、トナー像を担持した用紙Ｐは、このニップ部Ｎを通過する際に加熱および加圧され、トナー像が用紙Ｐに定着される。その際に、ニップ部Ｎの最下流部の加圧ロール６５による局所的な高圧によって、用紙Ｐ上のトナー像には適度な光沢が付与される。なお、本実施の形態の定着装置６０では、ニップ部Ｎは、定着ロール６１０の回転軸に関する中心角として４５°に亘る帯状領域（以下、この中心角を「ラップ角度」という。）として形成され、この場合のニップ幅は２６ｍｍである。
【００４２】
ここで、加圧ベルト６２０は、ベース層と、定着ロール６１０側の表面または両面に被覆された離型層と、さらにはベース層と離型層との間に形成される弾性体層とから構成されるのが好ましい。そして、ベース層としては、耐熱強度の高い樹脂で形成され、例えばポリイミド、ポリアミド、ポリアミドイミド等が適している。ベース層の厚さは、例えば５０〜１２５μｍ程度、より好ましくは７５〜１００μｍに形成される。
また、離型層としては、フッ素樹脂、例えばＰＦＡ等が５〜２０μｍの厚さでコーティングされたものが好ましい。さらに、弾性体層としては、厚さが２０〜５００μｍ、好ましくは５０〜３００μｍ、ゴム硬度が８〜７０°（ＪＩＳ−Ａ）、好ましくは１５〜３０°（ＪＩＳ−Ａ）のシリコーンゴム等を使用することができる。 
本実施の形態の定着装置６０においては、加圧ベルト６２０として、厚さ７５μｍ、幅３７０ｍｍ、周長２８８ｍｍのポリイミドフィルムのベース層に、ゴム硬度３０°（ＪＩＳ−Ａ）、厚さ１００μｍのシリコーンゴムからなる弾性体層と、厚さ３０μｍのフッ素樹脂（ＰＦＡ）からなる離型層とが外表面側（定着ベルトモジュール６１側）に積層されて構成されている。
【００４３】
また、加圧ベルト６２０を張架する３個のロールは、ステンレス製のリードロール６２１と、後段で詳細に説明する加圧ロール６５と、ステンレス製の張架ロール６２３とで構成され、１０ｋｇｆの張力で加圧ベルト６２０を張架している。それぞれのロールの外径は、２５ｍｍφ、４０ｍｍφおよび２５ｍｍφであり、長さは３９０ｍｍである。また、リードロール６２１の内部には、加熱源としてハロゲンヒータ６２５が配設されている。そして、図示しない温度センサおよび制御部４０（図１参照）によりその表面温度は１２０℃に制御され、加圧ベルト６２０に予熱を与えている。
また、張架ロール６２３の近傍には、加圧ベルト６２０のエッジ位置を検知するベルトエッジ位置検知機構（不図示）が配設されている。そして、張架ロール６２３は、ベルトエッジ位置検知機構の検知結果に応じて加圧ベルト６２０の軸方向における当接位置を変位させる軸変位機構が配設され、加圧ベルト６２０の蛇行（ベルトウォーク）を制御するように構成されている。
【００４４】
さらに、押圧部材としての圧力パッド６３は、幅の広いニップ部Ｎを確保するための弾性体部材と、弾性体部材が加圧ベルト６２０の内周面と接触する面に設けられた低摩擦層とで構成され、金属等からなるホルダ（不図示）に保持されている。低摩擦層を表面に有する弾性体部材は、定着ロール６１０側がほぼ定着ロール６１０の外周面に倣う凹形状に形成され、定着ロール６１０に対して押圧されて配置され、定着ロール６１０のラップ領域に形成されたニップ部Ｎの入口側領域を形成している。
【００４５】
圧力パッド６３の弾性体部材としては、シリコーンゴム、フッ素ゴム等の耐熱性の高い弾性体や、板バネ等を用いることができる。弾性体部材上に形成された低摩擦層は、加圧ベルト６２０内周面と圧力パッド６３との摺動抵抗を小さくするために設けられ、摩擦係数が小さく、耐摩耗性のある材質であることが望ましい。具体的には、テフロン（登録商標）を含浸させたガラス繊維シート、フッ素樹脂シート、フッ素樹脂塗膜等を用いることができる。
なお、圧力パッド６３としては、本実施の形態のようにパッド状に成型されたものの他に、例えば、ロール状に成型されたものを用いることもでき、加圧ベルト６２０を介して定着ロール６１０表面に付勢させて従動回転させてもよい。ただし、本実施の形態のようにパッド状に成型された圧力パッド６３のほうが、当接するニップ部Ｎ全域に亘って、広く均一にニップ圧を付与することができる。 
【００４６】
また、圧力パッド６３に対し用紙Ｐ搬送方向（矢印Ｃ方向）の下流側に配置された加圧ロール６５は、加圧ベルト６２０および定着ベルト６１４を介して定着ロール６１０の中心軸に向けて付勢されており、定着ロール６１０および定着ベルト６１４の当接部に局所的な高圧を生じさせている。その際に、この定着ロール６１０および定着ベルト６１４に対する局所的な高圧を低荷重で効率良く付与するために、加圧ロール６５の外径は定着ロール６１０より小径で、その表面は定着ロール６１０表面よりも硬質に形成されていることが望ましい。
【００４７】
次に、本実施の形態の定着装置６０における定着動作について説明する。
画像形成装置の二次転写部２０（図１参照）において未定着トナー像が静電転写された用紙Ｐは、搬送ベルト５５および定着入口ガイド５６により、定着装置６０のニップ部Ｎに向けて（矢印Ｃ方向）搬送されてくる。画像形成動作中においては加圧ベルトモジュール６２は定着ベルトモジュール６１に押圧されるように設置されており、ニップ部Ｎを通過する用紙Ｐ表面の未定着トナー像は、ニップ部Ｎに作用する圧力と熱とにより用紙Ｐに定着される。本実施の形態の定着装置６０では、上述したように、圧力パッド６３を押圧させながら、定着ベルト６１４がラッピングされた定着ロール６１０と加圧ベルト６２０とを当接させた構成により、ニップ部Ｎを広く設定することができるため、安定した定着性能を確保することができる。 
【００４８】
このとき、本実施の形態の定着装置６０では、ニップ部Ｎに作用する熱は、主として定着ベルト６１４によって供給される。定着ベルト６１４は、定着ロール６１０の内部に配置されたハロゲンヒータ６１３から定着ロール６１０を通じて供給される熱と、張架ロール６１５の内部に配置されたハロゲンヒータ６１６ａから張架ロール６１５を通じて供給される熱と、張架ロール６１８の内部に配置されたハロゲンヒータ６１６ｂから張架ロール６１８を通じて供給される熱とによって加熱されるように構成されている。そのため、定着ロール６１０のみでは熱エネルギーが不充分である場合においても、張架ロール６１５および張架ロール６１８から適切かつ速やかに熱エネルギーを補給することができるので、ニップ部Ｎにおいては、プロセススピードが４００ｍｍ／ｓという高速であっても充分な熱量を確保することができる。 
【００４９】
すなわち、本実施の形態の定着装置６０では、直接的な加熱部材として機能する定着ベルト６１４は、極めて熱容量を小さく形成することができる。加えて、定着ベルト６１４は、熱供給部材である定着ロール６１０と、張架ロール６１５および張架ロール６１８とに広いラップ面積（大きなラップ角度）で接触するように構成している。そのため、定着ベルト６１４が１回転する短かい期間に、定着ロール６１０や張架ロール６１５および張架ロール６１８から充分な熱量が供給されるので、定着ベルト６１４を必要な定着温度に短時間で復帰させることが可能となる。したがって、ニップ部Ｎにおいては、定着装置６０が高速化されても、所定の定着温度を常に維持することができる。
その結果、本実施の形態の定着装置６０においては、高速定着動作の開始時に定着温度が低下する温度ドループ現象の発生を抑制することが可能となる。特に、熱容量の大きな厚紙等に対する定着においても、温度ドループの発生を抑制することができる。さらには、紙種に対応させて定着温度を途中で切り替える（定着温度のアップおよびダウンの双方を含む。）必要がある場合にも、定着ベルト６１４は熱容量が小さいので、ハロゲンヒータ６１３、さらにはハロゲンヒータ６１６ａ、ハロゲンヒータ６１６ｂの出力調整により、所望の温度への切り替えを容易、かつ速やかに行うことも可能となる。
【００５０】
また、本実施の形態の定着装置６０は、ニップ部Ｎでは、加圧ベルトモジュール６２の加圧ベルト６２０が、定着ロール６１０表面に対し定着ベルト６１４が巻き付けられた領域（ラップ領域）内でのみ、定着ベルト６１４の外周面に当接するように構成されている。すなわち、ニップ部Ｎにおいては、定着ベルト６１４の内周面側には定着ロール６１０が全域に亘って位置している。したがって、定着ベルト６１４と加圧ベルト６２０との当接は、定着ロール６１０表面によって安定的に支持された状態で行われるので、ニップ部Ｎの全域において両者を均一に密着させることができる。かかる定着ベルト６１４と加圧ベルト６２０との良好な密着性により、定着ベルト６１４から用紙Ｐへの熱の伝導を効率的に行うことができるので、温度ドループの発生をより効果的に抑制することができる。
さらに、かかるニップ部Ｎの構成により、定着ベルト６１４のニップ部Ｎ入口側上流においては、定着ベルト６１４が定着ロール６１０とのみ接触する領域が形成されている。そのため、定着ベルト６１４がこの領域を通過する際に、回動の間に定着ベルト６１４に生じたシワが矯正される。したがって、ニップ部Ｎにおいては、用紙Ｐ上の未定着トナー像と平滑な状態で接触することができるので、良質な定着画像を得ることができる。
【００５１】
加えて、本実施の形態の定着装置６０では、ニップ部Ｎの最下流部において、定着ロール６１０の中心軸に向けて付勢されて配置された加圧ロール６５が配設されている。そして、加圧ロール６５は、溶融したトナー像に対して局所的な高い圧力を加えている。それによって、高い定着性を確保するとともに、トナー像表面を平滑にして、特にカラー画像に良好な画像光沢を付与している。上述したように、加圧ロール６５は、定着ロール６１０より小径で、その表面は定着ロール６１０表面よりも硬質に形成されることで、低荷重で効率良くトナー像に局所的な高圧を付加することができる。
【００５２】
ここで、ニップ部Ｎの最下流部において、定着ロール６１０の中心軸に向けて付勢されて配置された加圧ロール６５について説明する。
まず、加圧ロール６５の構成について述べる。図３は、加圧ロール６５の構成を示す側断面図である。図３に示したように、加圧ロール６５は、外側に配置されるアウターロール（第１のロール）６５１と、アウターロール６５１に内側に配設されたインナーロール（第２のロール）６５２とで構成されている。すなわち、加圧ロール６５は、加圧ベルト６２０を張架するとともに、定着ロール６１０を押圧するアウターロール６５１と、アウターロール６５１の内側に、加圧ロール６５が定着ロール６１０に圧接されていない状態においてアウターロール６５１と同軸に配設されたインナーロール６５２とにより、２重ロール構造（ロールインロール構造）で構成されている。
ここで、アウターロール６５１は、アルミニウム製のパイプ（円筒体）を基材６５１ｂとして、基材６５１ｂの外表面に弾性層６５１ａを被覆した円筒状のロール部材である。また、インナーロール６５２は、ステンレスからなる略円柱体（中実）を基材６５２ｂとして、基材６５２ｂの外表面に弾性層６５２ａを被覆した略円柱状のロール部材である。そして、インナーロール６５２の基材６５２ｂは、軸方向中央部の外径が両端部の外径よりも大きい所謂クラウン形状（クラウンプロファイル）で形成されている。本実施の形態の定着装置６０では、アウターロール６５１は、外径４０ｍｍ、内径３３ｍｍ、長さ３９０ｍｍのアルミニウムパイプの基材６５１ｂに、硬度３５°（ＪＩＳ−Ａ）、厚さ５ｍｍのシリコーンゴムの弾性層６５１ａを被覆している。また、インナーロール６５２は、中央部の外径が２７．５ｍｍ、両端部の外径が２６ｍｍのクラウンプロファイルに形成された、ステンレス製の中実シャフトの基材６５２ｂに、硬度５０°（ＪＩＳ−Ａ）、厚さ２．７５ｍｍのＥＰＤＭゴムの弾性層６５２ａを被覆している。
【００５３】
また、インナーロール６５２には、アウターロール６５１が配設される領域の軸方向外側両端部に、支持部６５２ｃが設けられている。そして、インナーロール６５２に設けられた支持部６５２ｃは、定着装置６０の本体フレーム（不図示）に回転自在に支持されながら、スプリング等のバネ部材（不図示）によって定着ロール６１側に押圧されている。それによって、加圧ベルトモジュール６２が定着ベルトモジュール６１に押圧されるように設置された場合に、インナーロール６５２はアウターロール６５１を定着ベルト６１４および加圧ベルト６２０を介して定着ロール６１０に押圧している。また、定着動作時には、アウターロール６５１とインナーロール６５２とは、定着ロール６１０の回転に従動して一体的に回転する。
さらに、両端部に設けられた支持部６５２ｃには、アウターロール６５１の両端の側部に近接して位置規制プレート６３１が配設されている。そして、位置規制プレート６３１はアウターロール６５１が所定の範囲を超えて軸方向へ移動することを制限している。
【００５４】
次に、加圧ロール６５が定着ロール６１側に押圧される際のアウターロール６５１およびインナーロール６５２の機能について説明する。
図４は、加圧ベルトモジュール６２が定着ベルトモジュール６１に押圧されるように設置された場合に、加圧ロール６５が定着ロール６１側に押圧された状態を示す図である。図４に示すように、インナーロール６５２の軸方向外側両端部に設けられた支持部６５２ｃが、バネ部材８０により定着ロール６１０側に押圧されると、インナーロール６５２の全体には、定着ロール６１０側に向かって中央部が凹となる弓形状の撓みが発生する。ところが、インナーロール６５２は、上述したように基材６５２ｂが軸方向中央部の外径が両端部の外径よりも大きいクラウン形状で形成されている。そのため、インナーロール６５２に撓みが生じても、軸方向中央部の凹みはインナーロール６５２自体のクラウン形状により相殺されることとなる。それにより、インナーロール６５２が内側からアウターロール６５１を押圧する面領域Ｐにおいては、インナーロール６５２の外表面は、軸方向に平坦な面形状を有するアウターロール６５１の内周面にほぼ倣う形状となる。その結果、インナーロール６５２は、アウターロール６５１を押圧する面領域Ｐにおいて、アウターロール６５１を軸方向に亘って略均一の力で押圧することが可能となる。
【００５５】
そのため、加圧ロール６５が定着ロール６１０側に押圧された場合においても、アウターロール６５１には殆ど撓みが発生しない。それによって、定着ベルト６１４および加圧ベルト６２０を介した加圧ロール６５と定着ロール６１０との当接面（インナーロール６５２がアウターロール６５１を押圧する面領域Ｐに対応する面）において、加圧ロール６５は軸方向に亘って略均一の押圧力で定着ロール６１０に圧接することが可能となるので、ニップ部Ｎの最下流部では、軸方向に亘って略均一の局所的押圧力を用紙Ｐ上のトナー像に付与することができる。その結果、ニップ部Ｎを通過したトナー像は、用紙Ｐの幅方向に亘って一様で、かつ高い定着性を得ることが可能となる。また、特に固化する前のトナー像の表面を幅方向に亘って均一に平滑化することができるので、トナー像に一様かつ適度な光沢を与えることも可能となる。
【００５６】
ところで、定着ロール６１０が加圧ロール６５からの押圧力を受ける際に、定着ロール６１０において加圧ロール６５からの押圧力に対する反力が生じるために、定着ロール６１０の方にも加圧ロール６５側に向かって中央部が凹となる弓形状の撓みが生じることもある。この場合、定着ロール６１０の剛性は加圧ロール６５よりも大きく構成されているので、その撓み量はインナーロール６５２に比較して極めて小さい。そのため、加圧ロール６５から押圧された際に定着ロール６１０に撓みが生じても、上述したように、インナーロール６５２は、アウターロール６５１を押圧する面領域Ｐにおいてアウターロール６５１を軸方向に亘って略均一な力で押圧するので、アウターロール６５１と定着ロール６１０とが押圧される面においては、アウターロール６５１の外形が定着ロール６１０の僅かな撓みに倣って変形することができる。加えて、この状態でもインナーロール６５２はアウターロール６５１を軸方向に亘って略均一な力で押圧するので、定着ロール６１０に若干の撓みが生じても、加圧ロール６５は軸方向に亘って略均一の押圧力で定着ロール６１０に圧接することが可能である。
【００５７】
なお、本実施の形態の加圧ロール６５では、インナーロール６５２の基材６５２ｂをクラウンプロファイルに形成することで、インナーロール６５２全体をクラウンプロファイルに形成しているが、基材６５２ｂをストレートの中実シャフトで形成し、基材６５２ｂに被覆する弾性層６５２ａをクラウンプロファイルで形成することで、インナーロール６５２全体をクラウンプロファイルに形成することも可能である。すなわち、インナーロール６５２全体をクラウンプロファイルで形成できれば、いかなる構成を採ることも可能である。
【００５８】
次に、本実施の形態の加圧ロール６５においては、加圧ロール６５が定着ロール６１０に圧接されていない状態において、アウターロール６５１とインナーロール６５２とは同軸に配設されるとともに、軸方向中央部（図３における領域Ｑ）において、インナーロール６５２の外周面がアウターロール６５１の内周面と接触するように形成されている。すなわち、加圧ロール６５が定着ロール６１０に圧接されていない状態では、インナーロール６５２の軸方向中央部での外径はアウターロール６５１の内径よりも若干大きい程度に略等しく形成され、インナーロール６５２の弾性層６５２ａの弾性圧縮によりアウターロール６５１の内周面に接触した状態となり、アウターロール６５１はインナーロール６５２によって支持されるように構成されている。
【００５９】
ところで、本実施の形態の定着装置６０では、定着ベルトモジュール６１と加圧ベルトモジュール６２とは接離可能に構成されている。すなわち、画像形成動作時においては、図２に示したように、定着ベルトモジュール６１と加圧ベルトモジュール６２とはニップ部Ｎにおいて互いに圧接されて配置されている。ところが、画像形成装置が画像形成動作の指示信号を受けて、画像形成動作を開始する際には、定着装置６０は短い時間で定着処理が可能となるように、定着ベルト６１４を所定の温度まで高めた状態に設定しておく必要がある。また同様に、加圧ベルト６２０においても、定着動作中に定着ベルト６１４から不要に熱を奪って定着ベルト６１４の温度を低下させないように、所定の温度に加熱しておく必要もある。その場合には、定着ベルトモジュール６１と加圧ベルトモジュール６２とは離間した状態（リトラクト状態）に設定され、定着ベルトモジュール６１と加圧ベルトモジュール６２とは、各々別個に回動動作を行いながらそれぞれ定着ベルト６１４と加圧ベルト６２０とを加熱している。
したがって、この場合には、加圧ベルトモジュール６２においても定着ベルトモジュール６１からリトラクトした状態で、リードロール６２１と加圧ロール６５と張架ロール６２３とに張架されて加圧ベルト６２０を回動させる。そして、加圧ベルト６２０はリードロール６２１内に配設されたハロゲンヒータ６２５によって、ベルト周方向に亘って均一に加熱される。
【００６０】
このように、加圧ベルトモジュール６２が定着ベルトモジュール６１からリトラクトした状態で回動する際には、加圧ロール６５は定着ロール６１０側に圧接されていない状態で回転する。そのため、加圧ロール６５において、アウターロール６５１がインナーロール６５２に対して不安定な状態で支持されていると、加圧ベルトモジュール６２の回動中にアウターロール６５１には軸方向に亘る大きな揺動が発生する。その結果、張架ロール６２３にベルトウォークを制御するための軸変位機構が配設されているとしても、加圧ベルト６２０を安定して回動させることが困難となる。そのために、加圧ベルト６２０には大きなベルトウォークが発生し、加圧ベルト６２０の端部が本体フレーム等の部材に強く衝突することで、加圧ベルト６２０の端部に亀裂が生じたり、最終的には、加圧ベルト６２０全体が破損してしまう事態も想定される。
【００６１】
これに対して、本実施の形態の加圧ベルトモジュール６２に用いる加圧ロール６５では、加圧ロール６５が定着ロール６１０に圧接されていない状態において、アウターロール６５１とインナーロール６５２とは同軸に配設されるとともに、インナーロール６５２の軸方向中央部における外周面はアウターロール６５１の内周面と接触するように構成されている。そのため、加圧ロール６５が定着ロール６１０に圧接されていない状態において、アウターロール６５１とインナーロール６５２とは同軸に配設され、かつアウターロール６５１はインナーロール６５２と接触する軸方向中央部によって安定的に支持されるので、アウターロール６５１に生じる軸方向に亘る揺動を小さく抑えることが可能となる。それにより、加圧ベルトモジュール６２が定着ベルトモジュール６１からリトラクトした状態で回動する場合には、アウターロール６５１の揺動による加圧ベルト６２０のベルトウォークは、張架ロール６２３に設けられた軸変位機構によって充分に制御可能となり、加圧ベルト６２０を安定して回動させることが可能となる。そのため、加圧ベルト６２０の端部に亀裂が生じたり、最終的に加圧ベルト６２０全体が破損してしまうような事態を回避しながら、加圧ベルトモジュール６２をリトラクトした状態において加圧ベルト６２０を均等に加熱することが可能となる。
【００６２】
ここで、インナーロール６５２の外径がアウターロール６５１の内径と略等しく形成され、加圧ロール６５が定着ロール６１０に圧接されていない状態において、インナーロール６５２の外周面とアウターロール６５１の内周面とが接触する領域（接触領域：図３に示した領域Ｑ近傍）は、アウターロール６５１の軸方向における長さの１／１０〜１／５の長さ領域であることが、アウターロール６５１の揺動を安定的に抑えるために好ましい。すなわち、接触領域Ｑがアウターロール６５１の軸方向における長さの１／１０よりも小さい場合には、インナーロール６５２によるアウターロール６５１の支持が不安定化して、アウターロール６５１の揺動は比較的大きなものとなる傾向が生じる。そのため、張架ロール６２３に設けられた軸変位機構によるベルトウォーク制御によってアウターロール６５１の揺動を抑えることができない場合も生じるので、好ましくない。また、接触領域がアウターロール６５１の軸方向における長さの１／５よりも大きい場合には、上述した加圧ロール６５を定着ロール６１０側に押圧した際のインナーロール６５２の撓みを、インナーロール６５２のクラウンプロファイルで補償することが不充分となり、加圧ロール６５を軸方向に亘って略均一の押圧力で定着ロール６１０に圧接する効果が低下するため、好ましくない。したがって、加圧ロール６５においては、アウターロール６５１の軸方向中心を中心として、軸方向に対称に、アウターロール６５１の軸方向における長さの１／１０〜１／５の領域に亘って、インナーロール６５２の外周面とアウターロール６５１の内周面とが接触するように構成することが好ましい。
【００６３】
なお、図５に示したように、軸方向中央部（図３における領域Ｑ）においてインナーロール６５２の外周面に外径が一定に形成された平坦部を形成して、この平坦部を含んだ領域でインナーロール６５２の外周面がアウターロール６５１の内周面と接触するように構成することもできる。このように構成した場合には、インナーロール６５２とアウターロール６５１とは、平坦部においてより安定して支持することも可能となる。
【００６４】
続いて、加圧ロール６５のインナーロール６５２に被覆する弾性層６５２ａについて述べる。図６は、加圧ロール６５が定着ロール６１０に圧接されている状態における加圧ロール６５の軸方向中央部を示す部分側断面図である。すなわち、図６は、加圧ロール６５が定着ロール６１０に圧接される際のインナーロール６５２の外径が最も大きく構成された領域の周辺を表している。
図６に示すように、加圧ロール６５が定着ロール６１０に圧接される場合には、インナーロール６５２の全体は、定着ロール６１０側に向かって中央部が凹となる弓形状に撓むこととなるが、インナーロール６５２は、上述したように基材６５２ｂがクラウン形状で形成されているので、撓みによる軸方向中央部の凹みがクラウン形状により相殺される。それにより、インナーロール６５２が内側からアウターロール６５１を押圧する面領域Ｐにおいては、インナーロール６５２の外表面は軸方向に平坦な面形状を有するアウターロール６５１の内周面にほぼ倣う形状となる。そのため、インナーロール６５２は、アウターロール６５１を押圧する面領域Ｐにおいて、アウターロール６５１を軸方向に亘って略均一の力で押圧する。そして、インナーロール６５２がアウターロール６５１を押圧する面領域Ｐでは、インナーロール６５２からの押圧力によりインナーロール６５２の弾性層６５２ａは圧縮されるため、弾性層６５２ａの厚さは本来の厚さｔよりも薄い厚さｔ１（ｔ１＜ｔ）となる。
そこで、本実施の形態の加圧ロール６５では、インナーロール６５２がアウターロール６５１を押圧する面領域Ｐにおいて弾性層６５２ａが圧縮された際に、面領域Ｐとは反対側の面領域Ｑにおいて、インナーロール６５２の外周面とアウターロール６５１の内周面との間に間隙（ギャップ）が生じるように、インナーロール６５２の弾性層６５２ａの厚さｔおよび弾性率が設定されている。
【００６５】
これは、インナーロール６５２がアウターロール６５１を押圧する面領域Ｐにおいてインナーロール６５２の弾性層６５２ａが圧縮されることから、インナーロール６５２の表面速度が、弾性層６５２ａが圧縮される面領域Ｐと弾性層６５２ａが圧縮されていない面領域Ｑとで異なるという現象が生じることに基づくものである。すなわち、インナーロール６５２の表面に配設された弾性層６５２ａが有する弾性体としての特性から、圧縮される面領域Ｐにおける弾性層６５２ａの表面速度は速くなり、圧縮されていない面領域Ｑにおける弾性層６５２ａの表面速度は遅くなる。そのために、面領域Ｐにおける弾性層６５２ａの表面速度に従って回動するアウターロール６５１の表面速度は、圧縮されていない面領域Ｑにおいてインナーロール６５２の表面速度よりも速くなる。その結果、面領域Ｑにおいては、インナーロール６５２の外周面の表面速度とアウターロール６５１の内周面の表面速度とに差が生じる。
そのため、加圧ロール６５が定着ロール６１０に圧接されている状態において、面領域Ｑでインナーロール６５２の外周面とアウターロール６５１の内周面とが当接するように構成された場合には、インナーロール６５２の外周面とアウターロール６５１の内周面が擦れ合わされることとなる。そして、それが原因となって、インナーロール６５２とアウターロール６５１との間で異音が生じたり、インナーロール６５２の弾性層６５２ａに削れが生じてインナーロール６５２の所定のクラウンプロファイルが維持できなくなるおそれが生じる。
【００６６】
そこで、本実施の形態の加圧ロール６５では、インナーロール６５２がアウターロール６５１を押圧する面領域Ｐにおいて弾性層６５２ａが圧縮された際に、面領域Ｑにおいて、インナーロール６５２の外表面とアウターロール６５１の内周面との間に間隙（ギャップ）が生じるように、インナーロール６５２の弾性層６５２ａの厚さｔおよび弾性率が設定している。それによって、面領域Ｑにおいてインナーロール６５２の外周面の表面速度とアウターロール６５１の内周面の表面速度とに差が生じた場合においても、両者の間で摺擦が生じることを抑制できるので、異音の発生を抑え、かつ、インナーロール６５２の弾性層６５２ａに削れが生じることも防いで、インナーロール６５２の所定のクラウンプロファイルを維持することも可能となる。
【００６７】
以上説明したように、本実施の形態の定着装置６０では、ニップ部Ｎの最下流部において定着ロール６１０を押圧する加圧ロール６５は、外側に配置されるアウターロール６５１と、アウターロール６５１に内側に配設されるとともに、クラウン形状に形成されたインナーロール６５２とによる２重ロール構造（ロールインロール構造）で構成されている。そして、インナーロール６５２を軸方向外側両端部から押圧することで加圧ロール６５全体を定着ロール６１０側に押圧するように構成している。このような構成により、加圧ロール６５全体を定着ロール６１０側に押圧するインナーロール６５２は撓むが、その撓みはインナーロール６５２自体のクラウン形状により相殺することで、インナーロール６５２はアウターロール６５１を軸方向に亘って略均一の圧力で押圧することができる。それにより、加圧ロール６５を軸方向に亘って略均一の押圧力で定着ロール６１０に圧接させることが可能となる。そのため、ニップ部Ｎの最下流部では、軸方向に亘って略均一の局所的押圧力を用紙Ｐ上のトナー像に付与することが可能となる。その結果、ニップ部Ｎを通過したトナー像は、用紙Ｐの幅方向に亘って一様で、かつ高い定着性を得ることができる。また、特に固化する前のトナー像の表面を幅方向に亘って均一に平滑化することができるので、トナー像に一様かつ適度な光沢を与えることも可能となる。
【００６８】
また、本実施の形態の定着装置６０では、加圧ロール６５は、加圧ロール６５が定着ロール６１０に圧接されていない状態において、アウターロール６５１とインナーロール６５２とは同軸に配設されるとともに、インナーロール６５２の軸方向中央部における外周面はアウターロール６５１の内周面と接触するように構成されている。そのため、加圧ロール６５が定着ロール６１０に圧接されていない状態においても、アウターロール６５１はインナーロール６５２と接触する軸方向中央部によって安定的に支持される。それにより、アウターロール６５１に生じる軸方向に亘る揺動を小さく抑えることが可能となるので、加圧ベルトモジュール６２が定着ベルトモジュール６１からリトラクトした状態で回動する場合には、アウターロール６５１の揺動による加圧ベルト６２０のベルトウォークを充分に制御することが可能となり、加圧ベルト６２０を安定して回動させることができる。その結果、加圧ベルト６２０の端部に亀裂が生じたり、最終的に加圧ベルト６２０全体が破損してしまうような事態を回避しながら、加圧ベルトモジュール６２をリトラクトした状態において加圧ベルト６２０を均等に加熱することが可能となる。
【００６９】
さらに、本実施の形態の定着装置６０では、加圧ロール６５は、インナーロール６５２がアウターロール６５１を押圧する面領域Ｐにおいて弾性層６５２ａが圧縮された際に、面領域Ｐとは反対側の面領域Ｑにおいて、インナーロール６５２の外周面とアウターロール６５１の内周面との間に間隙（ギャップ）が生じるように、インナーロール６５２の弾性層６５２ａの厚さｔおよび弾性率が設定されている。それにより、面領域Ｑにおいてインナーロール６５２の外周面の表面速度とアウターロール６５１の内周面の表面速度とに差が生じた場合においても、両者の間で摺擦は生じないため、異音の発生を抑え、かつ、インナーロール６５２の弾性層６５２ａに削れが生じることも抑制して、インナーロール６５２の所定のクラウンプロファイルを維持することも可能となる。
【００７０】
加えて、本実施の形態の定着装置６０では、定着ロール６１０と並行して内部にハロゲンヒータ６１６ａが配設された張架ロール６１５と、内部にハロゲンヒータ６１６ｂが配設された張架ロール６１８を配置し、張架ロール６１５と張架ロール６１８と定着ロール６１０とを無端状の定着ベルト６１４で張架する構成を採用している。そして、用紙Ｐを加熱する主要な加熱部材として定着ベルト６１４を機能させ、定着ロール６１０と張架ロール６１５と張架ロール６１８とは定着ベルト６１４に対し熱を供給する熱供給部材として機能させている。そのため、ニップ部Ｎにおいては、定着装置６０が高速化されても、所定の定着温度を常に維持することができるので、温度ドループの発生を抑制することが可能である。
【００７１】
[実施の形態２]
実施の形態１では、定着装置６０が搭載された画像形成装置であって、定着装置６０に用いる加熱手段として、補助加熱部材としての張架ロール６１５および張架ロール６１８と、定着ロール６１０とによって無端状の定着ベルト６１４が張架された定着ベルトモジュール６１を用いた構成について説明した。実施の形態２では、図１に示した画像形成装置に搭載する定着装置であって、定着装置６０に用いる加熱手段として、定着ロール６１０のみを配設した定着装置９０について説明する。なお、実施の形態１と同様な構成については同様な符号を用い、ここではその詳細な説明を省略する。
【００７２】
図７は、本実施の形態に係る定着装置９０の構成を示す側断面図である。本実施の形態の定着装置９０では、実施の形態１の定着ベルトモジュール６１に代えて、定着ロール６１０のみを配設した点が異なることを除いては、実施の形態１の定着装置６０と同様である。
【００７３】
本実施の形態の定着装置９０においても、ニップ部Ｎの最下流部において定着ロール６１０を押圧する加圧ロール６５は、外側に配置されるアウターロール６５１と、アウターロール６５１に内側に配設されるとともに、クラウン形状に形成されたインナーロール６５２とによる２重ロール構造（ロールインロール構造）で構成されている。そして、インナーロール６５２を軸方向外側両端部から押圧することで加圧ロール６５全体を定着ロール６１側に押圧するように構成している。このような構成により、加圧ロール６５全体を定着ロール６１０側に押圧するインナーロール６５２は撓むが、その撓みはインナーロール６５２自体のクラウン形状により相殺することで、インナーロール６５２はアウターロール６５１を軸方向に亘って略均一の圧力で押圧することができる。それにより、加圧ロール６５を軸方向に亘って略均一の押圧力で定着ロール６１０に圧接させることが可能となる。そのため、ニップ部Ｎの最下流部では、軸方向に亘って略均一の局所的押圧力を用紙Ｐ上のトナー像に付与することが可能となる。その結果、ニップ部Ｎを通過したトナー像は、用紙Ｐの幅方向に亘って一様で、かつ高い定着性を得ることができる。また、特に固化する前のトナー像の表面を幅方向に亘って均一に平滑化することができるので、トナー像に一様かつ適度な光沢を与えることも可能となる。
【００７４】
また、本実施の形態の定着装置９０では、加圧ロール６５は、加圧ロール６５が定着ロール６１０に圧接されていない状態において、アウターロール６５１とインナーロール６５２とは同軸に配設されるとともに、インナーロール６５２の軸方向中央部における外周面はアウターロール６５１の内周面と接触するように構成されている。そのため、加圧ロール６５が定着ロール６１０に圧接されていない状態においても、アウターロール６５１はインナーロール６５２と接触する軸方向中央部によって安定的に支持される。それにより、アウターロール６５１に生じる軸方向に亘る揺動を小さく抑えることが可能となるので、加圧ベルトモジュール６２が定着ロール６１０からリトラクトした状態で回動する場合には、アウターロール６５１の揺動による加圧ベルト６２０のベルトウォークを充分に制御することが可能となり、加圧ベルト６２０を安定して回動させることができる。その結果、加圧ベルト６２０の端部に亀裂が生じたり、最終的に加圧ベルト６２０全体が破損してしまうような事態を回避しながら、加圧ベルトモジュール６２をリトラクトした状態において加圧ベルト６２０を均等に加熱することが可能となる。
【００７５】
さらに、本実施の形態の定着装置９０では、加圧ロール６５は、インナーロール６５２がアウターロール６５１を押圧する面領域Ｐにおいて弾性層６５２ａが圧縮された際に、面領域Ｐとは反対側の面領域Ｑにおいて、インナーロール６５２の外表面とアウターロール６５１の内周面との間に間隙（ギャップ）が生じるように、インナーロール６５２の弾性層６５２ａの厚さｔおよび弾性率が設定されている。それにより、面領域Ｑにおいてインナーロール６５２の外周面の表面速度とアウターロール６５１の内周面の表面速度とに差が生じた場合においても、両者の間で摺擦は生じないため、異音の発生を抑え、かつ、インナーロール６５２の弾性層６５２ａに削れが生じることも抑制して、インナーロール６５２の所定のクラウンプロファイルを維持することも可能となる。
【産業上の利用可能性】
【００７６】
本発明の活用例として、電子写真方式を用いた複写機、プリンタ等の画像形成装置への適用、例えば記録紙（用紙）上に担持された未定着トナー像を定着する定着装置への適用がある。また、インクジェット方式を用いた複写機、プリンタ等の画像形成装置への適用、例えば記録紙（用紙）上に担持された未乾燥インク像を乾燥する定着装置への適用がある。
【図面の簡単な説明】
【００７７】
【図１】本発明の画像形成装置を示した概略構成図である。
【図２】実施の形態１に係る定着装置の構成を示す側断面図である。
【図３】加圧ロールの構成を示す側断面図である。
【図４】加圧ロールが定着ロール側に押圧された状態を示す図である。
【図５】インナーロールの構成の一例を示す部分側断面図である。
【図６】加圧ロールが定着ロールに圧接されている状態における加圧ロールの軸方向中央部を示す部分側断面図である。
【図７】実施の形態２に係る定着装置の構成を示す側断面図である。
【符号の説明】
【００７８】
１Ｙ,１Ｍ,１Ｃ,１Ｋ…画像形成ユニット、１１…感光体ドラム、１２…帯電器、１３…レーザ露光器、１４…現像器、１５…中間転写ベルト、１６…一次転写ロール、１７…ドラムクリーナ、２０…二次転写部、６０,９０…定着装置、６１…定着ベルトモジュール、６２…加圧ベルトモジュール、６３…圧力パッド、６４…剥離パッド、６５…加圧ロール、７０…クリーニングウェブ機構、８０…バネ部材、６１０…定着ロール、６１３,６１６ａ,６１６ｂ,６２５…ハロゲンヒータ、６１４…定着ベルト、６１５,６１８,６２３…張架ロール、６２０…加圧ベルト、６２１…リードロール、６５１…アウターロール、６５１ａ,６５２ａ…弾性層、６５１ｂ,６５２ｂ…基材、６５２…インナーロール、６５２ｃ…支持部
【図１】
2006243211.tif 000003
【図２】
2006243211.tif 000004
【図３】
2006243211.tif 000005
【図４】
2006243211.tif 000006
【図５】
2006243211.tif 000007
【図６】
2006243211.tif 000008
【図７】
2006243211.tif 000009